(57)【要約】【課題】特殊な眼鏡を用いずに立体表示や多視点表示を行う表示装置において、データ量を少なくすると共に表示品位を高める。【解決手段】表示装置は、互いに色の異なる複数のサブ画素から夫々なる複数の画素が水平方向及び垂直方向に配列されてなる表示部（３）と、複数の元画像の各々を１画面内において水平方向に配列する複数列の画像に分離し、この複数列の画像を列単位で間引くことによって複数の元画像を夫々圧縮し、この圧縮された複数の元画像の各々の１列分の画像が、表示部において、複数の列に跨って且つ水平方向及び垂直方向においてサブ画素毎に交互に表示されるように、圧縮された複数の元画像の画像データを合成して、合成画像の画像データを生成する画像処理手段（２）と、表示部に表示された合成画像を圧縮された複数の元画像毎に空間的に分離する画像分離手段（Ｂ１）とを備える。【選択図】図１
2009103865.tif 000002
【特許請求の範囲】
【請求項１】
互いに色の異なる複数のサブ画素から夫々なる複数の画素が水平方向及び垂直方向に配列されてなる表示部と、
該表示部に表示すべき画像の元となる複数の元画像の各々を１画面内において前記水平方向に配列する複数列の画像に分離し、該複数列の画像を列単位で間引くことによって前記複数の元画像を夫々圧縮し、該圧縮された複数の元画像の各々の１列分の画像が、前記表示部において、複数の列に跨って且つ前記水平方向及び前記垂直方向において前記サブ画素毎に交互に表示されるように、前記圧縮された複数の元画像の画像データを合成して、前記表示部に表示すべき画像としての合成画像の画像データを生成する画像処理手段と、
前記表示部に表示された合成画像を前記圧縮された複数の元画像毎に空間的に分離する画像分離手段と
を備えたことを特徴とする表示装置。
【請求項２】
前記複数の元画像は、右眼用画像及び左眼用画像であることを特徴とする請求項１に記載の表示装置。
【請求項３】
前記複数の元画像は、互いに異なる複数の視点において夫々観察される複数の視点用画像であることを特徴とする請求項１に記載の表示装置。
【請求項４】
前記複数の元画像は、第１の方向に表示する第１画像と、第２の方向に表示する第２画像とを含むことを特徴とする請求項１に記載の表示装置。
【請求項５】
互いに色の異なる複数のサブ画素から夫々なる複数の画素が水平方向及び垂直方向に配列されてなる表示部に画像を表示する画像処理方法であって、
前記表示部に表示すべき画像の元となる複数の元画像の各々を１画面内において前記水平方向に配列する複数列の画像に分離し、該複数列の画像を列単位で間引くことによって前記複数の元画像を夫々圧縮する工程と、
該圧縮された複数の元画像の各々の１列分の画像が、前記表示部において、複数の列に跨って且つ前記水平方向及び前記垂直方向において前記サブ画素毎に交互に表示されるように、前記圧縮された複数の元画像の画像データを合成して、前記表示部に表示すべき画像としての合成画像の画像データを生成する工程と、
前記合成画像の画像データに基づいて前記表示部に画像を表示する工程と
を含むことを特徴とする画像処理方法。
【請求項６】
請求項１から４のいずれか一項に記載の表示装置を具備してなることを特徴とする電子機器。
【発明の詳細な説明】
【技術分野】
【０００１】
本発明は、特殊な眼鏡を用いずに立体表示や多視点表示を行う表示装置、画像処理方法及び電子機器の技術分野に関する。
【背景技術】
【０００２】
この種の表示装置の一例として、視差バリアを用いて、観察者に対し、３次元の立体画像を表示する立体画像表示装置が知られている（例えば特許文献１参照）。このような表示装置の１つの方式として、パララックスバリア方式の表示装置がある。この表示装置は、例えば液晶表示パネルと、当該液晶表示パネルの表示面の観察者側に備えられたパララックスバリアを備える。パララックスバリアの所定の位置には、開口部がストライプ状に形成されている。観察者に３次元の立体画像を提供する場合には、観察者の左眼に左眼用画像が入射するとともに、観察者の右眼に右眼用画像が入射するように、パララックスバリアの開口部が形成されている。観察者は、右眼用画像と左眼用画像を脳内で合成することにより、立体的な画像であると認識する。
【０００３】
【特許文献１】特許第３０９６６１３号公報
【発明の開示】
【発明が解決しようとする課題】
【０００４】
上述したパララックスバリア方式の表示装置では、液晶表示パネルにおける画面には、右眼用画像と左眼用画像とが、パララックスバリアにおけるストライプ状の開口部に対応して、１列毎に交互に表示される。このため、立体的な画像に縦縞が存在するように観察者が感じてしまう場合があるという技術的問題点がある。一方、この種の表示装置においては、表示品位を高めることに加えて、当該表示装置が処理する画像のデータ量を少なくすることが要求される。
【０００５】
本発明は、例えば上述した問題点に鑑みなされたものであり、画像のデータ量を少なくすると共に高品位な立体表示や多視点表示を行うことが可能な表示装置及び画像処理方法、並びに該表示装置を備えた電子機器を提供することを課題とする。
【課題を解決するための手段】
【０００６】
本発明の表示装置は上記課題を解決するために、互いに色の異なる複数のサブ画素から夫々なる複数の画素が水平方向及び垂直方向に配列されてなる表示部と、該表示部に表示すべき画像の元となる複数の元画像の各々を１画面内において前記水平方向に配列する複数列の画像に分離し、該複数列の画像を列単位で間引くことによって前記複数の元画像を夫々圧縮し、該圧縮された複数の元画像の各々の１列分の画像が、前記表示部において、複数の列に跨って且つ前記水平方向及び前記垂直方向において前記サブ画素毎に交互に表示されるように、前記圧縮された複数の元画像の画像データを合成して、前記表示部に表示すべき画像としての合成画像の画像データを生成する画像処理手段と、前記表示部に表示された合成画像を前記圧縮された複数の元画像毎に空間的に分離する画像分離手段とを備える。
【０００７】
本発明の表示装置は、典型的には開口部と遮光部を備えたバリアである画像分離手段を備えてなり、立体表示又は多視点表示を行うことができる表示装置である。
【０００８】
本発明の表示装置によれば、その動作時には、例えば一対の右眼用画像及び左眼用画像等である複数の元画像の画像データが画像処理手段によって合成されることにより合成画像の画像データが生成され、該画像データに基づいて表示部において合成画像が表示される。表示された合成画像は、画像分離手段によって複数の元画像に対応する画像毎に分離される。例えば、複数の元画像が右眼用画像及び左眼用画像である場合には、観察者は、画像分離手段によって分離された右眼用画像と左眼用画像とを脳内で合成することにより、立体的な画像であると認識する。
【０００９】
本発明では、表示部は、例えば液晶表示パネル等からなり、その表示領域には、互いに色の異なる複数のサブ画素から夫々なる複数の画素が水平方向（即ち行方向、言い換えればＸ方向）及び該水平方向に交わる垂直方向（即ち列方向、言い換えればＹ方向）に沿って例えばマトリクス状に配列されている。典型的には、各画素は、赤色、緑色及び青色の３色のサブ画素からなり、該３色のサブ画素は各画素において同一の順序で水平方向に沿って配列されている。
【００１０】
本発明では特に、画像処理手段は、先ず、複数の元画像の各々を１画面内において水平方向に配列する複数列の画像に分離し、該複数列の画像を列単位で間引くことによって複数の元画像を夫々圧縮する。例えば、複数の元画像が右眼用画像及び左眼用画像の２つの画像である場合には、右眼用画像及び左眼用画像の各々を水平方向に沿って１／２倍に圧縮する。
【００１１】
続いて、画像処理手段は、該圧縮された複数の元画像の各々の１列分の画像が、表示部において、複数の列に跨って且つ水平方向及び垂直方向においてサブ画素毎に交互に表示されるように、圧縮された複数の元画像の画像データを合成して合成画像の画像データを生成する。
【００１２】
例えば、各画素が３色のサブ画素からなる場合において、水平方向に沿って１／２倍に夫々圧縮された右眼用画像及び左眼用画像の各々の１列分の画像が、表示部における２列分の画素列（即ち、６列分のサブ画素列）に跨って且つ水平方向及び垂直方向においてサブ画素毎に交互に表示されるように合成画像の画像データが生成される。即ち、水平方向においてサブ画素毎に左眼用画像及び右眼用画像を交互に表示すると共に、垂直方向においてサブ画素毎に左眼用画像及び右眼用画像を交互に表示するように合成画像の画像データが生成される。言い換えれば、左眼用画像を表示するサブ画素と右眼用画像を表示するサブ画素とは、表示部において市松状或いはチェック状に配置されている。よって、観察者が合成画像を画像分離手段を介して観察することで該合成画像を立体的な画像として認識する際、観察者が立体的な画像に縦縞が存在するように感じてしまうことを防止できる。従って、本発明の表示装置によれば、例えばパララックスバリア方式の表示装置と比較して、精細度或いは解像度の高い立体的な画像を観察者に認識させることができる。
【００１３】
更に、本発明では特に、上述したように、複数の元画像を圧縮し、該圧縮された複数の元画像の画像データを合成することにより合成画像の画像データを生成するので、当該表示装置において処理する画像のデータ量を少なくすることができる。
【００１４】
以上説明したように、本発明の表示装置によれば、画像のデータ量を少なくすると共に高品位な立体表示や多視点表示を行うことができる。
【００１５】
本発明の表示装置の一態様では、前記複数の元画像は、右眼用画像及び左眼用画像である。
【００１６】
この態様によれば、精細度の高い立体表示を行うことができる。ここに右眼用画像は、観察者が右眼で観察するための画像であり、左眼用画像は、観察者が左眼で観察するための画像である。尚、この態様では、複数の元画像は右眼用画像及び左眼用画像の２つの画像からなるので、右眼用画像及び左眼用画像の各々は画像処理手段よって水平方向に沿って１／２倍に圧縮される。
【００１７】
本発明の表示装置の他の態様では、前記複数の元画像は、互いに異なる複数の視点において夫々観察される複数の視点用画像である。
【００１８】
この態様によれば、精細度の高い多視点表示を行うことができる。尚、この態様では、複数の元画像は、Ｎ（但し、Ｎは２以上の自然数）個の視点用画像（即ち、第１番目の視点において観察される第１視点用画像、第２番目の視点において観察される第２視点用画像、…、第Ｎ番目の視点において観察される第Ｎ視点用画像）からなるので、Ｎ個の視点用画像の各々は画像処理手段よって水平方向に沿って１／Ｎ倍に圧縮される。
【００１９】
本発明の表示装置の他の態様では、前記複数の元画像は、第１の方向に表示する第１画像と、第２の方向に表示する第２画像とを含む。
【００２０】
この態様によれば、表示部に対して第１の方向に位置する第１の観察者に対して第１画像を表示することができると共に、表示部に対して第１の方向と互いに異なる第２の方向に位置する第２の観察者に対して第１画像と互いに異なる第２の画像を表示することが可能となる。
【００２１】
本発明の画像処理方法は上記課題を解決するために、互いに色の異なる複数のサブ画素から夫々なる複数の画素が水平方向及び垂直方向に配列されてなる表示部に画像を表示する画像処理方法であって、前記表示部に表示すべき画像の元となる複数の元画像の各々を１画面内において前記水平方向に配列する複数列の画像に分離し、該複数列の画像を列単位で間引くことによって前記複数の元画像を夫々圧縮する工程と、該圧縮された複数の元画像の各々の１列分の画像が、前記表示部において、複数の列に跨って且つ前記水平方向及び前記垂直方向において前記サブ画素毎に交互に表示されるように、前記圧縮された複数の元画像の画像データを合成して、前記表示部に表示すべき画像としての合成画像の画像データを生成する工程と、前記合成画像の画像データに基づいて前記表示部に画像を表示する工程とを含む。
【００２２】
本発明の画像処理方法は、上述した本発明の表示装置と同様に、画像のデータ量を少なくすると共に高品位な立体表示や多視点表示を行うことができる。
【００２３】
本発明の電子機器は上記課題を解決するために、上述した本発明の表示装置（但し、各種態様を含む）を具備してなる。
【００２４】
本発明の電子機器によれば、上述した本発明の表示装置を具備してなるので、画像のデータ量を少なくすると共に高品位な立体表示や多視点表示を行うことができる。
【００２５】
本発明の作用及び他の利得は次に説明する実施するための最良の形態から明らかにされる。
【発明を実施するための最良の形態】
【００２６】
本発明の実施形態について図を参照しつつ説明する。
＜第１実施形態＞
第１実施形態に係る表示装置について、図１から図９を参照して説明する。
【００２７】
先ず、本実施形態に係る表示装置の全体構成について、図１を参照して説明する。ここに図１は、本実施形態に係る表示装置の全体構成を示す模式図である。
【００２８】
図１において、本実施形態に係る表示装置１は、タイミング制御回路８と、画像処理回路２と、表示パネル３と、バリアＢ１とを備えている。尚、画像処理回路２は、本発明に係る「画像処理手段」の一例であり、表示パネル３は、本発明に係る「表示部」の一例であり、バリアＢ１は、本発明に係る「画像分離手段」の一例である。
【００２９】
タイミング制御回路８は、画像処理回路２及び表示パネル３で使用される各種タイミング信号を出力するように構成されている。タイミング制御回路８は、外部回路から供給されるドットクロックに基づいて、Ｙクロック信号ＣＬＹ、反転Ｙクロック信号ＣＬＹｉｎｖ、Ｘクロック信号ＣＬＸ、反転Ｘクロック信号ＣＬＸｉｎｖ、ＹスタートパルスＤＹ及びＸスタートパルスＤＸを生成する。タイミング制御回路８は、Ｙクロック信号ＣＬＹ、反転Ｙクロック信号ＣＬＹＢ及びＹスタートパルスＤＹ、Ｘクロック信号ＣＬＸ、反転Ｘクロック信号ＣＬＸＢ及びＸスタートパルスＤＸを、画像処理回路２及び表示パネル３に供給する。
【００３０】
画像処理回路２は、右眼用画像データＤＲ’及び左眼用画像データＤＬ’を含む多重画像データＤ’から表示パネル３の画像表示領域Ｗに表示すべき合成画像データＤを生成して、合成画像データＤを表示パネル３に出力するように構成されている。より具体的には、画像処理回路２は、Ｓ／Ｐ（Serial to Parallel）変換回路２０と、読込制御回路２１と、メモリ２２と、読出制御回路２３とを備えている。
【００３１】
Ｓ／Ｐ変換回路２０は、外部から入力される１系統の多重画像データＤ’を、右眼用の画像データＤＲ’ｒ、ＤＲ’ｇ及びＤＲ’ｂ並びに左眼用の画像データＤＬ’ｒ、ＤＬ’ｇ及びＤＬ’ｂの６系統の画像データに分け（即ち、６相の画像データに相展開して）、６系統の画像データとして読込制御回路２１に出力するように構成されている。尚、図５を参照して後に詳細に説明するが、多重画像データＤ’は、右眼用画像データＤＲ’及び左眼用画像データＤＬ’を含んでおり、右眼用画像データＤＲ’及び左眼用画像データＤＬ’の各々は、表示パネル３の画素を構成する赤色、緑色及び青色の３色のサブ画素に対応する３色の画像データからなる。即ち、右眼用画像データＤＲ’は、赤色の画像データＤＲ’ｒと、緑色の画像データＤＲ’ｇと、青色の画像データＤＲ’ｂとからなり、左眼用画像データＤＬ’は、赤色の画像データＤＬ’ｒと、緑色の画像データＤＬ’ｇと、青色の画像データＤＬ’ｂとからなる。
【００３２】
読込制御回路２１は、Ｓ／Ｐ変換回路２０から出力された６系統の画像データＤＲ’ｒ、ＤＲ’ｇ、ＤＲ’ｂ、ＤＬ’ｒ、ＤＬ’ｇ及びＤＬ’ｂを、その一部を間引いて（即ち、圧縮して）、新たな６系統の画像データＤＲｒ、ＤＲｇ、ＤＲｂ、ＤＬｒ、ＤＬｇ及びＤＬｂとしてメモリ２２に出力するように構成されている。尚、画像データＤＲｒ、ＤＲｇ及びＤＲｂは、右眼用の画像データであり、それぞれ、赤色、緑色及び青色の画像データである。画像データＤＬｒ、ＤＬｇ及びＤＬｂは、左眼用の画像データであり、それぞれ、赤色、緑色及び青色の画像データである。
【００３３】
メモリ２２は、読込制御回路２１から出力された画像データＤＲｒ、ＤＲｇ、ＤＲｂ、ＤＬｒ、ＤＬｇ及びＤＬｂを記憶するメモリである。
【００３４】
読出制御回路２３は、メモリ２２に記憶された画像データＤＲｒ、ＤＲｇ、ＤＲｂ、ＤＬｒ、ＤＬｇ及びＤＬｂを並べ替えて、表示パネル３の画像表示領域Ｗに表示すべき合成画像データＤとして表示パネル３に出力するように構成されている。この際、読出制御回路２３は、タイミング制御回路８から供給される各種タイミング信号に基づいて、合成画像データＤを表示パネル３に出力する。
【００３５】
表示パネル３は、液晶表示パネルであり、その画像表示領域Ｗにおいて、画像処理回路２から出力された合成画像データＤと、タイミング制御回路８から供給される各種タイミング信号とに基づいて画像（具体的には、後述する右眼用画像Ｒと左眼用画像Ｌとから構成される合成画像）を表示するように構成されている。尚、表示パネル３の詳細な構成については、図３を参照して後述する。
【００３６】
バリアＢ１は、表示パネル３の画像表示領域Ｗに表示された合成画像を構成する右眼用画像Ｒと左眼用画像Ｌとに対応した複数の開口部Ｂ１ａ及び複数の遮光部Ｂ１ｂからなり、表示パネル３と観察者Ｈとの間に配置されている。バリアＢ１は、その複数の開口部Ｂ１ａによって、右眼用画像Ｒが観察者Ｈの右眼に入射するように且つ左眼用画像Ｌが観察者Ｈの左眼に入射するように構成されると共に、その複数の遮光部Ｂ１ｂによって、右眼用画像Ｒが観察者Ｈの左眼に入射しないように且つ左眼用画像Ｌが観察者Ｈの右眼に入射しないように構成されている。言い換えれば、バリアＢ１は、右眼用画像Ｒが観察者Ｈの右眼に入射すると共に観察者Ｈの左眼に入射しないように、且つ、左眼用画像Ｌが観察者Ｈの左眼に入射すると共に観察者Ｈの右眼に入射しないように構成されている。即ち、バリアＢ１は、表示パネル３の画像表示領域Ｗに表示された右眼用画像Ｒと左眼用画像Ｌとを空間的に分離する機能を有している。
【００３７】
ここに図２は、バリアＢ１の構成を示す平面図である。
【００３８】
図２に示すように、バリアＢ１における複数の開口部Ｂ１ａ及び複数の遮光部Ｂ１ｂは、表示パネル３の画像表示領域Ｗを構成するサブ画素３３（図３参照）に対応して、市松状或いはチェック状に配置されている。
【００３９】
次に、本実施形態に係る表示装置の表示パネルの構成について、図３を参照して詳細に説明する。ここに図３は、本実施形態に係る表示装置の表示パネルの構成を示すブロック図である。
【００４０】
図３において、表示パネル３は、例えばガラス基板等からなる基板３０上における画像表示領域Ｗに複数のサブ画素３３を備えており、更に画像表示領域Ｗの周辺に位置する周辺領域に、複数のサブ画素３３を駆動するための走査線駆動回路３１、データ線駆動回路３２及びサンプリング回路３８を備えている。
【００４１】
複数のサブ画素３３は、画像表示領域Ｗにおいて、所定のピッチでマトリクス状に配列されている。即ち、複数のサブ画素３３は、画像表示領域Ｗにおいて、水平方向（即ち、行方向或いはＸ方向、言い換えれば、走査線３４が延在する方向）及び垂直方向（即ち、列方向或いはＹ方向、言い換えれば、データ線３５が延在する方向）に配列されている。
【００４２】
サブ画素３３は、図示を省略するが、画素スイッチング用のＴＦＴと、画素電極、該画素電極に対向する対向電極並びに画素電極及び対向電極間に狭持された液晶から構成された液晶素子とを備えている。画素スイッチング用のＴＦＴは、ソースがデータ線３５に電気的に接続され、ゲートが走査線３４に電気的に接続され、ドレインが液晶素子の画素電極に電気的に接続されている。画素スイッチング用のＴＦＴは、走査線駆動回路１０４から供給される走査信号によってオンオフが切り換えられる。画像処理回路２から出力された合成画像データＤ（即ち、合成画像データＤｒ、Ｄｇ及びＤｂ）が、画像信号線３７及びデータ線３５を介してサブ画素３３の液晶素子に書き込まれることで、画像表示領域Ｗにおいて画像を表示することが可能となる。
【００４３】
ここでは図示しないが、画像表示領域Ｗには、赤色、緑色及び青色のいずれかの色を有する複数のカラーフィルタが、垂直方向（即ち、Ｙ方向）に沿って延びるストライプ状に形成されている。即ち、赤色のカラーフィルタと、緑色のカラーフィルタと、青色のカラーフィルタとが、垂直方向に沿って配列されたサブ画素３３の列に夫々対応して設けられると共に、水平方向に沿ってサブ画素３３毎に交互に配置されている（図３中、複数のサブ画素３３のうち、赤色のカラーフィルタが設けられたサブ画素３３には「ｒ」を、緑色のカラーフィルタが設けられたサブ画素３３には「ｇ」を、青色のカラーフィルタが設けられたサブ画素３３には「ｂ」を夫々付してある）。つまり、第ｉ列（但し、ｉは自然数）をなす複数のサブ画素３３に対応して赤色のカラーフィルタが形成されており、第ｉ＋１列をなす複数のサブ画素３３に対応して緑色のカラーフィルタが形成されており、第ｉ＋２列をなす複数のサブ画素３３に対応して青色のカラーフィルタが形成されている。言い換えれば、第ｉ列をなすサブ画素３３は、赤色のサブ画素として形成されており、第ｉ＋１列をなすサブ画素３３は、緑色のサブ画素として形成されており、第ｉ＋２列をなすサブ画素３３は、青色のサブ画素として形成されている。
【００４４】
走査線駆動回路３１は、図１を参照して上述したタイミング制御回路８からＹクロック信号ＣＬＹ、反転Ｙクロック信号ＣＬＹｉｎｖ及びＹスタートパルスＤＹが入力されるように構成されている。走査線駆動回路３１は、ＹスタートパルスＤＹが入力されると、Ｙクロック信号ＣＬＹ、反転Ｙクロック信号ＣＬＹｉｎｖに基づくタイミングで、走査信号Ｇ１、Ｇ２、…、Ｇｍを順次生成して走査線３４に出力する。
【００４５】
データ線駆動回路３２は、図１を参照して上述したタイミング制御回路８からＸクロック信号ＣＬＸ、反転Ｘクロック信号ＣＬＸｉｎｖ及びＸスタートパルスＤＸが入力されるように構成されている。データ線駆動回路３２は、ＸスタートパルスＤＸが入力されると、Ｘクロック信号ＣＬＸ、反転Ｘクロック信号ＣＬＸｉｎｖに基づくタイミングで、サンプリング信号Ｓ１、Ｓ２、…、Ｓｎを順次生成してサンプリング回路３８に出力する。
【００４６】
サンプリング回路３８は、Ｎチャネル型ＴＦＴから構成されたサンプリングスイッチ３６を複数含んで構成されている。尚、サンプリングスイッチ３６は、Ｐチャネル型ＴＦＴ、或いは相補型ＴＦＴから構成されてもよい。
【００４７】
サンプリング回路３８には、図１を参照して上述した画像処理回路２から合成画像データＤｒ、Ｄｇ及びＤｂが画像信号線３７を介して供給される。そして、サンプリング回路３８は、各サンプリングスイッチ３６が、データ線駆動回路３２から出力されるサンプリング信号Ｓ１、…、Ｓｎに応じて、３本のデータ線６ａを１群とするデータ線群毎（言い換えれば、水平方向に相隣接する赤色、緑色及び青色の３つのサブ画素３３を一組とする１つのパネル画素毎）に、合成画像データＤｒ、Ｄｇ及びＤｂを供給するように構成されている。
【００４８】
次に、本実施形態に係る表示装置の画像処理回路による画像処理について、図１に加えて図４から図７を参照して詳細に説明する。ここに図４は、本実施形態に係る表示装置の画像処理回路による画像処理を説明するためのフローチャートである。図５は、本実施形態に係る表示装置の画像処理回路に入力される多重画像データの構成を概念的に示す概念図である。図６は、本実施形態に係る表示装置の画像処理回路のメモリに記憶される画像データの構成を概念的に示す概念図である。図７は、本実施形態に係る表示装置の画像処理回路から出力される合成画像データの構成を概念的に示す概念図である。
【００４９】
図１及び図４において、先ず、画像処理回路２は多重画像データＤ’を取り込む（ステップＳ１０）。より具体的には、先ず、画像処理回路２のＳ／Ｐ変換回路２０に、外部から１系統の多重画像データＤ’が入力される。続いて、Ｓ／Ｐ変換回路２０は、１系統の多重画像データＤ’を、６系統の画像データとして読込制御回路２１に出力し、読込制御回路２１は、多重画像データＤ’（即ち、右眼用画像データＤＲ’及び左眼用画像データＤＬ’）を取り込む。
【００５０】
ここで、図５に示すように、多重画像データＤ’は、画像表示領域Ｗにおける１画面分のパネル画素（本実施形態では、４８０行×８００列のパネル画素）に夫々対応する右眼用画像データＤＲ’及び左眼用画像データＤＬ’を含んでいる。
【００５１】
尚、図５中、上方には、多重画像データＤ’に含まれる右眼用画像データＤＲ’及び左眼用画像データＤＬ’の構成を概略的に示し、下方には、右眼用画像データＤＲ’及び左眼用画像データＤＬ’の各々の構成をより詳細に示してある。また、ここでは、説明の便宜のため、多重画像データＤ’を、４８０行×８００列のパネル画素に夫々対応する右眼用画像データＤＲ’及び左眼用画像データＤＬ’を含むものとして説明するが、多重画像データＤ’のサイズはこれに限定されるものではない。即ち、多重画像データＤ’は、Ｍ行×Ｎ列（但し、Ｍ及びＮは自然数）のパネル画素に夫々対応する右眼用画像データＤＲ’及び左眼用画像データＤＬ’を含むように構成してもよい。
【００５２】
図５において、１画面分の右眼用画像データＤＲ’は、サブ画素３３を単位とした画像データである、画像データＲ（１、１）ｒ、Ｒ（１、１）ｇ、Ｒ（１、１）ｂ、Ｒ（１、２）ｒ、Ｒ（１、２）ｇ、Ｒ（１、２）ｂ、…、Ｒ（４８０、８００）ｒ、Ｒ（４８０、８００）ｇ、Ｒ（４８０、８００）ｂから構成されている。即ち、１画面分の右眼用画像データＤＲ’は、赤色用の画像データＲ（ｓ，ｔ）ｒ、緑色用の画像データＲ（ｓ、ｔ）ｇ及び青色用の画像データＲ（ｓ、ｔ）ｂから構成されている（但し、ｓ、ｔは自然数）。
【００５３】
１画面分の左眼用画像データＤＬ’は、サブ画素３３を単位とした画像データである、画像データＬ（１、１）ｒ、Ｌ（１、１）ｇ、Ｌ（１、１）ｂ、Ｌ（１、２）ｒ、Ｌ（１、２）ｇ、Ｌ（１、２）ｂ、…、Ｌ（４８０、８００）ｒ、Ｌ（４８０、８００）ｇ、Ｌ（４８０、８００）ｂから構成されている。即ち、１画面分の左眼用画像データＤＬ’は、赤色用の画像データＬ（ｓ，ｔ）ｒ、緑色用の画像データＬ（ｓ、ｔ）ｇ及び青色用の画像データＬ（ｓ、ｔ）ｂから構成されている（但し、ｓ、ｔは自然数）。
【００５４】
再び図１及び図４において、次に、多重画像データＤ’を圧縮する（ステップＳ２０）。より具体的には、読込制御回路２１は、取り込んだ多重画像データＤ’（即ち、右眼用画像データＤＲ’及び左眼用画像データＤＬ’）の一部を間引いて（即ち、圧縮して）、図６に示す如き新たな右眼用画像データＤＲ及び左眼用画像データＤＬを生成する。
【００５５】
即ち、読込制御回路２１では、先ず、右眼用画像データＤＲ’の一部が間引かれて、新たな右眼用画像データＤＲが生成され、メモリ２２に記憶される。詳細には、読込制御回路２１によって、右眼用画像データＤＲ’のうち画像データＲ（１、１）ｒ、Ｒ（１、１）ｇ、Ｒ（１、１）ｂ、Ｒ（１、３）ｒ、Ｒ（１、３）ｇ、Ｒ（１、３）ｂ、Ｒ（１、５）ｒ、Ｒ（１、５）ｇ、Ｒ（１、５）ｂ、…、Ｒ（４８０、７９７）ｒ、Ｒ（４８０、７９７）ｇ、Ｒ（４８０、７９７）ｂ、Ｒ（４８０、７９９）ｒ、Ｒ（４８０、７９９）ｇ、Ｒ（４８０、７９９）ｂについてはメモリ２２に記憶され、右眼用画像データＤＲ’のうち画像データＲ（１、２）ｒ、Ｒ（１、２）ｇ、Ｒ（１、２）ｂ、Ｒ（１、４）ｒ、Ｒ（１、４）ｇ、Ｒ（１、４）ｂ、Ｒ（１、６）ｒ、Ｒ（１、６）ｇ、Ｒ（１、６）ｂ、…、Ｒ（４８０、７９８）ｒ、Ｒ（４８０、７９８）ｇ、Ｒ（４８０、７９８）ｂ、Ｒ（４８０、８００）ｒ、Ｒ（４８０、８００）ｇ、Ｒ（４８０、８００）ｂについてはメモリ２２に記憶されない。この結果、メモリ２２には、右眼用画像データＤＲ’が圧縮されてなる新たな右眼用画像データＤＲが記憶される。
【００５６】
つまり、図５及び図６に示すように、１画面分の右眼用画像データＤＲ’のうち、偶数列目の画素（即ち、第２列目の画素、第４列目の画素、…、第８００列目の画素）に対応する画像データが間引かれてメモリ２２に記憶されず、奇数列目の画素（即ち、第１列目の画素、第３列目の画素、…、第７９９列目の画素）に対応する画像データのみがメモリ２２に記憶されることで、４８０行×４００列のパネル画素分の新たな右眼用画像データＤＲが生成される。ここで、新たな右眼用画像データＤＲは、多重画像データＤＲ’の一部が間引かれてなるので、そのデータ量或いは情報量が、多重画像データＤ’に含まれる右眼用画像データＤＲ’のデータ量の１／２倍（つまり半分）になっている。
【００５７】
尚、図６中、上方には、新たな右眼用画像データＤＲ及び左眼用画像データＤＬの構成を概略的に示し、下方には、右眼用画像データＤＲ及び左眼用画像データＤＬの各々の構成をより詳細に示してある。
【００５８】
新たな右眼用画像データＤＲが生成された後、左眼用画像データＤＬ’についても右眼用画像データＤＲ’と同様に処理される。即ち、左眼用画像データＤＬ’の一部が間引かれて、新たな左眼用画像データＤＬが生成され、メモリ２２に記憶される。詳細には、読込制御回路２１によって、左眼用画像データＤＬ’のうち画像データＬ（１、１）ｒ、Ｌ（１、１）ｇ、Ｌ（１、１）ｂ、Ｌ（１、３）ｒ、Ｌ（１、３）ｇ、Ｌ（１、３）ｂ、Ｌ（１、５）ｒ、Ｌ（１、５）ｇ、Ｌ（１、５）ｂ、…、Ｌ（４８０、７９７）ｒ、Ｌ（４８０、７９７）ｇ、Ｌ（４８０、７９７）ｂ、Ｌ（４８０、７９９）ｒ、Ｌ（４８０、７９９）ｇ、Ｌ（４８０、７９９）ｂについてはメモリ２２に記憶され、左眼用画像データＤＬ’のうち画像データＬ（１、２）ｒ、Ｌ（１、２）ｇ、Ｌ（１、２）ｂ、Ｌ（１、４）ｒ、Ｌ（１、４）ｇ、Ｌ（１、４）ｂ、Ｌ（１、６）ｒ、Ｌ（１、６）ｇ、Ｌ（１、６）ｂ、…、Ｌ（４８０、７９８）ｒ、Ｌ（４８０、７９８）ｇ、Ｌ（４８０、７９８）ｂ、Ｌ（４８０、８００）ｒ、Ｌ（４８０、８００）ｇ、Ｌ（４８０、８００）ｂについてはメモリ２２に記憶されない。この結果、メモリ２２には、左眼用画像データＤＬ’が圧縮されてなる新たな左眼用画像データＤＬが記憶される。
【００５９】
つまり、図５及び図６に示すように、１画面分の左眼用画像データＤＬ’のうち、偶数行目の画素に対応する画像データが間引かれてメモリ２２に記憶されず、奇数行目の画素に対応する画像データのみがメモリ２２に記憶されることで、４８０行×４００列のパネル画素分の新たな左眼用画像データＤＬが生成される。ここで、新たな左眼用画像データＤＬは、多重画像データＤＬ’の一部が間引かれてなるので、そのデータ量が、多重画像データに含まれる左眼用画像データＤＬ’のデータ量の１／２倍になっている。
【００６０】
以上のように、新たな右眼用画像データＤＲ及び新たな左眼用画像データＤＬは、それぞれ、多重画像データＤ’に含まれる右眼用画像データＤＲ’及び左眼用画像データＤＬ’の１／２倍になっており、右眼用画像データＤＲ’及び左眼用画像データＤＬ’よりもデータ量が少なくなっている。よって、仮に多重画像データＤ’（即ち、右眼用画像データＤＲ’及び左眼用画像データＤＬ’）がそのままメモリ２２に記憶される場合と比較して、メモリ２２の記憶容量を小さくすることができる。
【００６１】
再び図１及び図４において、次に、合成画像データＤを生成する（ステップＳ３０）。より具体的には、読出制御回路２３は、メモリ２２から右眼用画像データＤＲ及び左眼用画像データＤＬを所定のルールに従って読み出すことで、図７に示す如き合成画像データＤを生成する。
【００６２】
即ち、先ず、画像表示領域Ｗにおける座標（１、１）のパネル画素に含まれる赤色、緑色及び青色のサブ画素３３に、画像データＬ（１、１）ｒ、Ｒ（１、１）ｇ及びＬ（１、１）ｂが夫々供給されるように、画像データＬ（１、１）ｒ、Ｒ（１、１）ｇ及びＬ（１、１）ｂがメモリ２２から読み出される。続いて、画像表示領域Ｗにおける座標（１、２）のパネル画素に含まれる赤色、緑色及び青色のサブ画素３３に、画像データＲ（１、１）ｒ、Ｌ（１、１）ｇ及びＲ（１、１）ｂが夫々供給されるように、画像データＲ（１、１）ｒ、Ｌ（１、１）ｇ及びＲ（１、１）ｂがメモリ２２から読み出される。続いて、画像表示領域Ｗにおける座標（１、３）のパネル画素に含まれる赤色、緑色及び青色のサブ画素３３に、画像データＬ（１、３）ｒ、Ｒ（１、３）ｇ及びＬ（１、３）ｂが夫々供給されるように、画像データＬ（１、３）ｒ、Ｒ（１、３）ｇ及びＬ（１、３）ｂがメモリ２２から読み出される。続いて、画像表示領域Ｗにおける座標（１、４）のパネル画素に含まれる赤色、緑色及び青色のサブ画素３３に、画像データＲ（１、３）ｒ、Ｌ（１、３）ｇ及びＲ（１、３）ｂが夫々供給されるように、画像データＲ（１、３）ｒ、Ｌ（１、３）ｇ及びＲ（１、３）ｂがメモリ２２から読み出される。以下、座標（１、５）、座標（１、６）、…、座標（１、８００）についても同様に読み出される。このようにして先ず、画像表示領域Ｗにおける第１行目のパネル画素に含まれる赤色、緑色及び青色のサブ画素３３に供給すべき画像データが読み出される。
【００６３】
次に、画像表示領域Ｗにおける第２行目のパネル画素に含まれる赤色、緑色及び青色のサブ画素３３に供給すべき画像データが読み出される。即ち、先ず、画像表示領域Ｗにおける座標（２、１）のパネル画素に含まれる赤色、緑色及び青色のサブ画素３３に、画像データＲ（２、１）ｒ、Ｌ（２、１）ｇ及びＲ（２、１）ｂが夫々供給されるように、画像データＲ（２、１）ｒ、Ｌ（２、１）ｇ及びＲ（２、１）ｂがメモリ２２から読み出される。続いて、画像表示領域Ｗにおける座標（２、２）のパネル画素に含まれる赤色、緑色及び青色のサブ画素３３に、画像データＬ（２、１）ｒ、Ｒ（２、１）ｇ及びＬ（２、１）ｂが夫々供給されるように、画像データＬ（２、１）ｒ、Ｒ（２、１）ｇ及びＬ（２、１）ｂがメモリ２２から読み出される。続いて、画像表示領域Ｗにおける座標（２、３）のパネル画素に含まれる赤色、緑色及び青色のサブ画素３３に、画像データＲ（２、３）ｒ、Ｌ（２、３）ｇ及びＲ（２、３）ｂが夫々供給されるように、画像データＲ（２、３）ｒ、Ｌ（２、３）ｇ及びＲ（２、３）ｂがメモリ２２から読み出される。続いて、画像表示領域Ｗにおける座標（２、４）のパネル画素に含まれる赤色、緑色及び青色のサブ画素３３に、画像データＬ（２、３）ｒ、Ｒ（２、３）ｇ及びＬ（２、３）ｂが夫々供給されるように、画像データＬ（２、３）ｒ、Ｒ（２、３）ｇ及びＬ（２、３）ｂがメモリ２２から読み出される。以下、座標（２、５）、座標（２、６）、…、座標（２、８００）についても同様に読み出される。
【００６４】
以下、同様にして、画像表示領域Ｗにおける第ｉ行目（ｉ＝３、…、４８０）のパネル画素に含まれる赤色、緑色及び青色のサブ画素３３に、右眼用画像データＤＲにおける第ｉ行目の画像データＲ（ｉ、ｋ）ｒ、Ｒ（ｉ、ｋ）ｇ及びＲ（ｉ、ｋ）ｂ（但し、ｋ＝１、３、…、７９７、７９９）と、左眼用画像データＤＬにおける第ｉ行目の画像データＬ（ｉ、ｋ）ｒ、Ｌ（ｉ、ｋ）ｇ及びＬ（ｉ、ｋ）ｂ（但し、ｋ＝１、３、…、７９７、７９９）とがサブ画素毎に交互に供給されるように読み出される。この際、画像表示領域Ｗにおける垂直方向に沿う列をなすサブ画素３３に、右眼用画像データＤＲと左眼用画像データＤＬとがサブ画素毎に交互に読み出される。これにより、右眼用画像データＤＲにおけるパネル画素１列分の画像データと左眼用画像データＤＬにおけるパネル画素１列分の画像データとは、画像表示領域Ｗにおいて互いに隣り合うパネル画素２列分の画像データとして合成される。この結果、右眼用画像データＤＲと左眼用画像データＤＬとが合成された合成画像データＤが生成される。
【００６５】
表示パネル３は、画像処理回路２から出力される合成画像データＤに基づいて、画像表示領域Ｗにおいて合成画像を表示する。
【００６６】
次に、上述したような合成画像データＤに基づいて表示パネル３によって表示される合成画像を観察者ＨがバリアＢ１を介して見た画像について、図１、図２及び図５に加えて図８及び図９を参照して説明する。ここに図８は、観察者の右眼が合成画像をバリアを介して見た画像を示す模式図であり、図９は、観察者の左眼が合成画像をバリアを介して見た画像を示す模式図である。
【００６７】
図８に示すように、観察者Ｈは右眼では、表示パネル３に表示された合成画像（即ち、合成画像データＤに基づく画像）のうち右眼用画像Ｒ（即ち、画像データＲ（１、１）ｒ、Ｒ（１、１）ｇ、Ｒ（１、１）ｂ、Ｒ（１、３）ｒ、Ｒ（１、３）ｇ、Ｒ（１、３）ｂ、…、Ｒ（４８０、７９９）ｒ、Ｒ（４８０、７９９）ｇ、Ｒ（４８０、７９９）ｂ）を見ることになる。即ち、合成画像のうち右眼用画像Ｒは、図１及び図２を参照して上述したバリアＢ１の開口部Ｂ１ａを介して観察者Ｈの右眼に入射すると共に、合成画像のうち左眼用画像Ｌは、観察者Ｈの右眼に入射しないようにバリアＢ１の遮光部Ｂ１ｂによって遮られる。
【００６８】
一方、図９に示すように、観察者Ｈは左眼では、表示パネル３に表示された合成画像のうち左眼用画像Ｌを見ることになる。即ち、合成画像のうち左眼用画像Ｌは、バリアＢ１の開口部Ｂ１ａを介して観察者Ｈの左眼に入射すると共に、合成画像のうち右眼用画像Ｒは、観察者Ｈの左眼に入射しないようにバリアＢ１の遮光部Ｂ１ｂによって遮られる。
【００６９】
ここで、再び図８において、観察者Ｈが右眼で見る右眼用画像Ｒは、画像表示領域Ｗにおいて１サブ画素分だけ間隔を空けて表示された画像であり、右眼用画像データＤＲに対応する画像が水平方向に２倍に伸長された画像である。つまり、観察者Ｈが右眼で見る右眼用画像Ｒは、右眼用画像データＤＲ’に対応する画像と水平方向及び垂直方向の長さの比が同じ画像である。よって、観察者Ｈが右眼で見る右眼用画像Ｒは、水平方向及び垂直方向に歪まないものとなる。
【００７０】
このことは、図９に示した、観察者Ｈが左眼で見る左眼用画像Ｌについても同様である。即ち、図９において、観察者Ｈが左眼で見る左眼用画像Ｌは、画像表示領域Ｗにおいて１サブ画素分だけ間隔を空けて表示された画像であり、左眼用画像データＤＬに対応する画像が水平方向に２倍に伸長された画像である。つまり、観察者Ｈが左眼で見る左眼用画像Ｌは、左眼用画像データＤＬ’に対応する画像と水平方向及び垂直方向の長さの比が同じ画像である。よって、観察者Ｈが左眼で見る左眼用画像Ｌは、水平方向及び垂直方向に歪まないものとなる。
【００７１】
更に、本実施形態に係る表示装置によれば、観察者Ｈが合成画像を、図２を参照して上述したバリアＢ１を介して見るように構成されているので、観察者Ｈが右眼用画像Ｒ及び左眼用画像Ｌに例えば垂直方向に沿った縦縞が存在するように感じてしまうことを殆ど或いは全く無くすことができる。従って、観察者Ｈが合成画像をバリアＢ１を介して見ることで該合成画像を立体的な画像として認識する際、観察者Ｈが立体的な画像に縦縞が存在するように感じてしまうことを防止できる。これにより、例えばパララックスバリア方式の表示装置と比較して、精細度或いは解像度の高い立体的な画像を観察者に認識させることができる。
【００７２】
以上説明したように、本実施形態に係る表示装置によれば、画像のデータ量を少なくすると共に高品位な立体表示を行うことができる。
＜第２実施形態＞
次に、第２実施形態に係る表示装置について、図１０から図１５を参照して説明する。
【００７３】
先ず、第２実施形態に係る表示装置の全体構成について、図１０を参照して説明する。ここに図１０は、第２実施形態に係る表示装置の全体構成を示す模式図である。尚、図１０において、図１に示した第１実施形態に係る構成要素と同様の構成要素に同一の参照符合を付し、それらの説明は適宜省略する。
【００７４】
図１０において、第２実施形態に係る表示装置１ｂは、上述した第１実施形態における画像処理回路２及びバリアＢ１に夫々代えて画像処理回路２ｂ及びバリアＢ２を備える点で、上述した第１実施形態に係る表示装置１と異なり、その他の点については、上述した第１実施形態に係る表示装置１と概ね同様に構成されている。尚、第２実施形態に係る表示装置１ｂは、後述するように、多視点表示を行うことが可能な表示装置として構成されている。
【００７５】
画像処理回路２ｂは、第１視点用画像データＤＰ１’、第２視点用画像データＤＰ２’、第３視点用画像データＤＰ３’及び第４視点用画像データＤＰ４’を含む多重画像データＤ’から表示パネル３の画像表示領域Ｗに表示すべき合成画像データＤを生成して、合成画像データＤを表示パネル３に出力するように構成されている。より具体的には、画像処理回路２ｂは、Ｓ／Ｐ変換回路２０ｂと、読込制御回路２１ｂと、メモリ２２と、読出制御回路２３ｂとを備えている。
【００７６】
Ｓ／Ｐ変換回路２０ｂは、外部から入力される１系統の多重画像データＤ’を、第１視点用の画像データＤＰ１’ｒ、ＤＰ１’ｇ及びＤＰ１’ｂ、第２視点用の画像データＤＰ２’ｒ、ＤＰ２’ｇ及びＤＰ２’ｂ、第３視点用の画像データＤＰ３’ｒ、ＤＰ３’ｇ及びＤＰ３’ｂ、並びに第４視点用の画像データＤＰ４’ｒ、ＤＰ４’ｇ及びＤＰ４’ｂの１２系統の画像データに分け（即ち、１２相の画像データに相展開して）、１２系統の画像データとして読込制御回路２１ｂに出力するように構成されている。尚、図１２を参照して後に詳細に説明するが、本実施形態における多重画像データＤ’は、第１視点用画像データＤＰ１’、第２視点用画像データＤＰ２’、第３視点用画像データＤＰ３’及び第４視点用画像データＤＰ４’を含んでおり、第１視点用画像データＤＰ１’、第２視点用画像データＤＰ２’、第３視点用画像データＤＰ３’及び第４視点用画像データＤＰ４’の各々は、表示パネル３の画素を構成する赤色、緑色及び青色の３色のサブ画素に対応する３色の画像データからなる。即ち、第１視点用画像データＤＰ１’は、赤色の画像データＤＰ１’ｒと、緑色の画像データＤＰ１’ｇと、青色の画像データＤＰ１’ｂとからなり、第２視点用画像データＤＰ２’は、赤色の画像データＤＰ２’ｒと、緑色の画像データＤＰ２’ｇと、青色の画像データＤＰ２’ｂとからなり、第３視点用画像データＤＰ３’は、赤色の画像データＤＰ３’ｒと、緑色の画像データＤＰ３’ｇと、青色の画像データＤＰ３’ｂとからなり、第４視点用画像データＤＰ４’は、赤色の画像データＤＰ４’ｒと、緑色の画像データＤＰ４’ｇと、青色の画像データＤＰ４’ｂとからなる。
【００７７】
読込制御回路２１ｂは、Ｓ／Ｐ変換回路２０ｂから出力された画像データＤＰ１’ｒ、ＤＰ１’ｇ、ＤＰ１’ｂ、ＤＰ２’ｒ、ＤＰ２’ｇ、ＤＰ２’ｂ、ＤＰ３’ｒ、ＤＰ３’ｇ、ＤＰ３’ｂ、ＤＰ４’ｒ、ＤＰ４’ｇ及びＤＰ４’ｂを、その一部を間引いて（即ち、圧縮して）、新たな画像データＤＰ１ｒ、ＤＰ１ｇ、ＤＰ１ｂ、ＤＰ２ｒ、ＤＰ２ｇ、ＤＰ２ｂ、ＤＰ３ｒ、ＤＰ３ｇ、ＤＰ３ｂ、ＤＰ４ｒ、ＤＰ４ｇ及びＤＰ４ｂとしてメモリ２２に出力するように構成されている。尚、画像データＤＰ１ｒ、ＤＰ１ｇ及びＤＰ１ｂは、第１視点Ｖ１用の画像データであり、それぞれ、赤色、緑色及び青色の画像データである。画像データＤＰ２ｒ、ＤＰ２ｇ及びＤＰ２ｂは、第２視点Ｖ２用の画像データであり、それぞれ、赤色、緑色及び青色の画像データである。画像データＤＰ３ｒ、ＤＰ３ｇ及びＤＰ３ｂは、第３視点Ｖ３用の画像データであり、それぞれ、赤色、緑色及び青色の画像データである。画像データＤＰ４ｒ、ＤＰ４ｇ及びＤＰ４ｂは、第４視点Ｖ４用の画像データであり、それぞれ、赤色、緑色及び青色の画像データである。
【００７８】
読出制御回路２３ｂは、メモリ２２に記憶された画像データＤＰ１ｒ、ＤＰ１ｇ、ＤＰ１ｂ、ＤＰ２ｒ、ＤＰ２ｇ、ＤＰ２ｂ、ＤＰ３ｒ、ＤＰ３ｇ、ＤＰ３ｂ、ＤＰ４ｒ、ＤＰ４ｇ及びＤＰ４ｂを並べ替えて、表示パネル３の画像表示領域Ｗに表示すべき合成画像データＤとして表示パネル３に出力するように構成されている。この際、読出制御回路２３ｂは、タイミング制御回路８から供給される各種タイミング信号に基づいて、合成画像データＤを表示パネル３に出力する。
【００７９】
バリアＢ２は、表示パネル３の画像表示領域Ｗに表示された合成画像を構成する第１視点用画像Ｐ１、第２視点用画像Ｐ２、第３視点用画像Ｐ３及び第４視点用画像Ｐ４とに対応した複数の開口部Ｂ２ａ及び複数の遮光部Ｂ２ｂからなり、表示パネル３と視点Ｖ１、Ｖ２、Ｖ３及びＶ４との間に配置されている。バリアＢ２は、その複数の開口部Ｂ２ａによって、第１視点用画像Ｐ１が第１視点Ｖ１に入射するように且つ第２視点用画像Ｐ２が第２視点Ｖ２に入射するように且つ第３視点用画像Ｐ３が第３視点Ｖ３に入射するように且つ第４視点用画像Ｐ４が第４視点Ｖ４に入射するように構成されると共に、その複数の遮光部Ｂ２ｂによって、第１視点用画像Ｐ１が視点Ｖ２、Ｖ３及びＶ４に入射しないように且つ第２視点用画像Ｐ２が視点Ｖ１、Ｖ３及びＶ４に入射しないように且つ第３視点用画像Ｐ３が視点Ｖ１、Ｖ２及びＶ４に入射しないように且つ第４視点用画像Ｐ４が視点Ｖ１、Ｖ２及びＶ３に入射しないように構成されている。言い換えれば、バリアＢ２は、第１視点用画像Ｐ１が第１視点Ｖ１に入射すると共にの視点Ｖ２、Ｖ３及びＶ４に入射しないように、且つ、第２視点用画像Ｐ２が第２視点Ｖ２に入射すると共に視点Ｖ１、Ｖ３及びＶ４に入射しないように、且つ、第３視点用画像Ｐ３が第３視点Ｖ３に入射すると共に視点Ｖ１、Ｖ２及びＶ４に入射しないように、第４視点用画像Ｐ４が第４視点Ｖ４に入射すると共に視点Ｖ１、Ｖ２及びＶ３に入射しないように構成されている。即ち、バリアＢ２は、表示パネル３の画像表示領域Ｗに表示された第１視点用画像Ｐ１と第２視点用画像Ｐ２と第３視点用画像Ｐ３と第４視点用画像Ｐ４とを空間的に分離する機能を有している。
【００８０】
ここに図１１は、バリアＢ２の構成を示す平面図である。
【００８１】
図１１に示すように、バリアＢ２における複数の開口部Ｂ２ａは、表示パネル３の画像表示領域Ｗを構成するサブ画素３３（図３参照）の１つ分に対応して、図中、左上から右下に向かって、斜めに配置されており、バリアＢ２における複数の遮光部Ｂ２ｂは、サブ画素３３の３つ分に対応して、図中、左上から右下に向かって、斜めに配置されている。
【００８２】
次に、本実施形態に係る表示装置の画像処理回路による画像処理について、図１０に加えて図１２から図１４を参照して詳細に説明する。ここに図１２は、本実施形態に係る表示装置の画像処理回路に入力される多重画像データの構成を概念的に示す概念図である。図１３は、本実施形態に係る表示装置の画像処理回路のメモリに記憶される画像データの構成を概念的に示す概念図である。図１４は、本実施形態に係る表示装置の画像処理回路から出力される合成画像データの構成を概念的に示す概念図である。
【００８３】
図１０において、先ず、画像処理回路２ｂは多重画像データＤ’を取り込む。より具体的には、先ず、画像処理回路２ｂのＳ／Ｐ変換回路２０ｂに、外部から１系統の多重画像データＤ’が入力される。続いて、Ｓ／Ｐ変換回路２０ｂは、１系統の多重画像データＤ’を、１２系統の画像データとして読込制御回路２１ｂに出力し、読込制御回路２１ｂは、多重画像データＤ’（即ち、第１視点用画像データＤＰ１’、第２視点用画像データＤＰ２’、第３視点用画像データＤＰ３’及び第４視点用画像データＤＰ４’）を取り込む。
【００８４】
ここで、図１２に示すように、本実施形態における多重画像データＤ’は、画像表示領域Ｗにおける１画面分のパネル画素（本実施形態では、４８０行×８００列のパネル画素）に夫々対応する第１視点用画像データＤＰ１’、第２視点用画像データＤＰ２’、第３視点用画像データＤＰ３’及び第４視点用画像データＤＰ４’を含んでいる。
【００８５】
尚、図１２中、上方には、多重画像データＤ’に含まれる第１視点用画像データＤＰ１’、第２視点用画像データＤＰ２’、第３視点用画像データＤＰ３’及び第４視点用画像データＤＰ４’の構成を概略的に示し、下方には、第１視点用画像データＤＰ１’の構成をより詳細に示してある。また、ここでは、説明の便宜のため、多重画像データＤ’を、４８０行×８００列のパネル画素に夫々対応する第１視点用画像データＤＰ１’、第２視点用画像データＤＰ２’、第３視点用画像データＤＰ３’及び第４視点用画像データＤＰ４’を含むものとして説明するが、多重画像データＤ’のサイズはこれに限定されるものではない。即ち、多重画像データＤ’は、Ｍ行×Ｎ列（但し、Ｍ及びＮは自然数）のパネル画素に夫々対応する第１視点用画像データＤＰ１’、第２視点用画像データＤＰ２’、第３視点用画像データＤＰ３’及び第４視点用画像データＤＰ４’を含むように構成してもよい。
【００８６】
図１２において、１画面分の第１視点用画像データＤＰ１’は、サブ画素３３を単位とした画像データである、画像データＰ１（１、１）ｒ、Ｐ１（１、１）ｇ、Ｐ１（１、１）ｂ、Ｐ１（１、２）ｒ、Ｐ１（１、２）ｇ、Ｐ１（１、２）ｂ、…、Ｐ１（４８０、８００）ｒ、Ｐ１（４８０、８００）ｇ、Ｐ１（４８０、８００）ｂから構成されている。即ち、１画面分の第１視点用画像データＤＰ１’は、赤色用の画像データＰ１（ｓ，ｔ）ｒ、緑色用の画像データＰ１（ｓ、ｔ）ｇ及び青色用の画像データＰ１（ｓ、ｔ）ｂから構成されている（但し、ｓ、ｔは自然数）。
【００８７】
尚、ここでは図示を省略するが、第２視点用画像データＤＰ２’、第３視点用画像データＤＰ３’及び第４視点用画像データＤＰ４’も、第１視点用画像データＤＰ１と同様に構成されている。即ち、１画面分の第ｉ視点用画像データＤＰｉ’（但し、ｉ＝２，３、４）は、赤色用の画像データＰｉ（ｓ，ｔ）ｒ、緑色用の画像データＰｉ（ｓ、ｔ）ｇ及び青色用の画像データＰｉ（ｓ、ｔ）ｂから構成されている（但し、ｓ、ｔは自然数）。
【００８８】
再び図１０において、画像処理回路２ｂは、多重画像データＤ’を取り込んだ後に、多重画像データＤ’を圧縮する。より具体的には、読込制御回路２１ｂは、取り込んだ多重画像データＤ’（即ち、第１視点用画像データＤＰ１’、第２視点用画像データＤＰ２’、第３視点用画像データＤＰ３’及び第４視点用画像データＤＰ４’）の一部を間引いて（即ち、圧縮して）、図１３に示す如き新たな第１視点用画像データＤＰ１、第２視点用画像データＤＰ２、第３視点用画像データＤＰ３及び第４視点用画像データＤＰ４を生成する。
【００８９】
即ち、読込制御回路２１ｂでは、先ず、第１視点用画像データＤＰ１’の一部が間引かれて、新たな第１視点用画像データＤＰ１が生成され、メモリ２２に記憶される。詳細には、読込制御回路２１ｂによって、第１視点用画像データＤＰ１’のうち画像データＰ１（１、１）ｒ、Ｐ１（１、１）ｇ、Ｐ１（１、１）ｂ、Ｐ１（１、５）ｒ、Ｐ１（１、５）ｇ、Ｐ１（１、５）ｂ、Ｐ１（１、９）ｒ、Ｐ１（１、９）ｇ、Ｐ１（１、９）ｂ、…、Ｐ１（４８０、７９３）ｒ、Ｐ１（４８０、７９３）ｇ、Ｐ１（４８０、７９３）ｂ、Ｐ１（４８０、７９７）ｒ、Ｐ１（４８０、７９７）ｇ、Ｐ１（４８０、７９７）ｂについてはメモリ２２に記憶され、第１視点用画像データＤＰ１’のうち画像データＰ１（１、２）ｒ、Ｐ１（１、２）ｇ、Ｐ１（１、２）ｂ、Ｐ１（１、３）ｒ、Ｐ１（１、３）ｇ、Ｐ１（１、３）ｂ、Ｐ１（１、４）ｒ、Ｐ１（１、４）ｇ、Ｐ１（１、４）ｂ、Ｐ１（１、６）ｒ、Ｐ１（１、６）ｇ、Ｐ１（１、６）ｂ、Ｐ１（１、７）ｒ、Ｐ１（１、７）ｇ、Ｐ１（１、７）ｂ、Ｐ１（１、８）ｒ、Ｐ１（１、８）ｇ、Ｐ１（１、８）ｂ、Ｐ１（１、１０）ｒ、Ｐ１（１、１０）ｇ、Ｐ１（１、１０）ｂ、…、Ｐ１（４８０、７９８）ｒ、Ｐ１（４８０、７９８）ｇ、Ｐ１（４８０、７９８）ｂ、Ｐ１（４８０、８００）ｒ、Ｐ１（４８０、８００）ｇ、Ｐ１（４８０、８００）ｂについてはメモリ２２に記憶されない。この結果、メモリ２２には、第１視点用画像データＤＰ１’が圧縮されてなる新たな第１視点用画像データＤＰ１が記憶される。
【００９０】
つまり、図１２及び図１３に示すように、１画面分の第１視点用画像データＤＰ１’のうち、（４×ｉ−２）列目、（４×ｉ−１）列目、（４×ｉ）列目（但し、ｉ＝１、２、…、２００）の画素に対応する画像データが間引かれてメモリ２２に記憶されず、（４×ｉ−３）列目（但し、ｉ＝１、２、…、２００）の画素に対応する画像データのみがメモリ２２に記憶されることで、４８０行×２００列のパネル画素分の新たな第１視点用画像データＤＰ１が生成される。ここで、新たな第１視点用画像データＤＰ１は、多重画像データＤＲ’の一部が間引かれてなるので、そのデータ量或いは情報量が、多重画像データＤ’に含まれる第１視点用画像データＤＰ１’のデータ量の１／４倍になっている。
【００９１】
尚、図１３中、上方には、第１視点用画像データＤＰ１、第２視点用画像データＤＰ２、第３視点用画像データＤＰ３及び第４視点用画像データＤＰ４の構成を概略的に示し、下方には、第１視点用画像データＤＰ１の構成をより詳細に示してある。
【００９２】
第１視点用画像データＤＰ１が生成された後、続いて、第２視点用画像データＤＰ２’の一部が間引かれて、新たな第２視点用画像データＤＰ２が生成され、メモリ２２に記憶される。詳細には、第１視点用画像データＤＰ１’が圧縮されて新たな第１視点用画像データＤＰ１が作成されるのと同様に、第２視点用画像データＤＰ２’が圧縮されて新たな第２視点用画像データＤＰ２が作成される。つまり、１画面分の第２視点用画像データＤＰ２’のうち、（４×ｉ−２）列目、（４×ｉ−１）列目、（４×ｉ）列目（但し、ｉ＝１、２、…、２００）の画素に対応する画像データが間引かれてメモリ２２に記憶されず、（４×ｉ−３）列目（但し、ｉ＝１、２、…、２００）の画素に対応する画像データのみがメモリ２２に記憶されることで、４８０行×２００列のパネル画素分の新たな第２視点用画像データＤＰ２が生成される。ここで、新たな第２視点用画像データＤＰ２は、多重画像データＤＬ’の一部が間引かれてなるので、そのデータ量が、多重画像データに含まれる第２視点用画像データＤＰ２’のデータ量の１／４倍になっている。
【００９３】
新たな第２視点用画像データＤＰ２が生成された後、続いて、第３視点用画像データＤＰ３’及び第４視点用画像データＤＰ４’の各々についても、第１視点用画像データＤＰ１’（及び第２視点用画像データＤＰ２’）と同様に、その一部が間引かれて、新たな第３視点用画像データＤＰ３及び新たな第４視点用画像データＤＰ４が生成され、メモリ２２に記憶される。
【００９４】
以上のように、第１視点用画像データＤＰ１、第２視点用画像データＤＰ２、第３視点用画像データＤＰ３及び第４視点用画像データＤＰ４は、それぞれ、多重画像データＤ’に含まれる第１視点用画像データＤＰ１’、第２視点用画像データＤＰ２’、第３視点用画像データＤＰ３’及び第４視点用画像データＤＰ４’の１／４倍になっており、第１視点用画像データＤＰ１’、第２視点用画像データＤＰ２’、第３視点用画像データＤＰ３’及び第４視点用画像データＤＰ４’よりもデータ量が少なくなっている。よって、仮に多重画像データＤ’（即ち、第１視点用画像データＤＰ１’、第２視点用画像データＤＰ２’、第３視点用画像データＤＰ３’及び第４視点用画像データＤＰ４’）がそのままメモリ２２に記憶される場合と比較して、メモリ２２の記憶容量を小さくすることができる。
【００９５】
再び図１０において、第１視点用画像データＤＰ１、第２視点用画像データＤＰ２、第３視点用画像データＤＰ３及び第４視点用画像データＤＰ４がメモリ２２に記憶された後、画像処理回路２ｂは、合成画像データＤを生成する。より具体的には、画像処理回路２ｂにおける読出制御回路２３ｂは、メモリ２２から第１視点用画像データＤＰ１、第２視点用画像データＤＰ２、第３視点用画像データＤＰ３及び第４視点用画像データＤＰ４を所定のルールに従って読み出すことで、図１４に示す如き合成画像データＤを生成する。
【００９６】
即ち、図１４に示すように、先ず、画像表示領域Ｗにおける座標（１、１）のパネル画素に含まれる赤色、緑色及び青色のサブ画素３３に、画像データＰ１（１、１）ｒ、Ｐ２（１、１）ｇ及びＰ３（１、１）ｂが夫々供給されるように、画像データＰ１（１、１）ｒ、Ｐ２（１、１）ｇ及びＰ３（１、１）ｂがメモリ２２から読み出される。続いて、画像表示領域Ｗにおける座標（１、２）のパネル画素に含まれる赤色、緑色及び青色のサブ画素３３に、画像データＰ４（１、１）ｒ、Ｐ１（１、１）ｇ及びＰ２（１、１）ｂが夫々供給されるように、画像データＰ４（１、１）ｒ、Ｐ１（１、１）ｇ及びＰ２（１、１）ｂがメモリ２２から読み出される。続いて、画像表示領域Ｗにおける座標（１、３）のパネル画素に含まれる赤色、緑色及び青色のサブ画素３３に、画像データＰ３（１、１）ｒ、Ｐ４（１、１）ｇ及びＰ１（１、１）ｂが夫々供給されるように、画像データＰ３（１、１）ｒ、Ｐ４（１、１）ｇ及びＰ１（１、１）ｂがメモリ２２から読み出される。続いて、画像表示領域Ｗにおける座標（１、４）のパネル画素に含まれる赤色、緑色及び青色のサブ画素３３に、画像データＰ２（１、１）ｒ、Ｐ３（１、１）ｇ及びＰ４（１、１）ｂが夫々供給されるように、画像データＰ２（１、１）ｒ、Ｐ３（１、１）ｇ及びＰ４（１、１）ｂがメモリ２２から読み出される。
【００９７】
続いて、画像表示領域Ｗにおける座標（１、５）のパネル画素に含まれる赤色、緑色及び青色のサブ画素３３に、画像データＰ１（１、５）ｒ、Ｐ２（１、５）ｇ及びＰ３（１、５）ｂが夫々供給されるように、画像データＰ１（１、５）ｒ、Ｐ２（１、５）ｇ及びＰ３（１、５）ｂがメモリ２２から読み出される。続いて、画像表示領域Ｗにおける座標（１、６）のパネル画素に含まれる赤色、緑色及び青色のサブ画素３３に、画像データＰ４（１、５）ｒ、Ｐ１（１、５）ｇ及びＰ２（１、５）ｂが夫々供給されるように、画像データＰ４（１、５）ｒ、Ｐ１（１、５）ｇ及びＰ２（１、５）ｂがメモリ２２から読み出される。続いて、画像表示領域Ｗにおける座標（１、７）のパネル画素に含まれる赤色、緑色及び青色のサブ画素３３に、画像データＰ３（１、５）ｒ、Ｐ４（１、５）ｇ及びＰ１（１、５）ｂが夫々供給されるように、画像データＰ３（１、５）ｒ、Ｐ４（１、５）ｇ及びＰ１（１、５）ｂがメモリ２２から読み出される。続いて、画像表示領域Ｗにおける座標（１、８）のパネル画素に含まれる赤色、緑色及び青色のサブ画素３３に、画像データＰ２（１、５）ｒ、Ｐ３（１、５）ｇ及びＰ４（１、５）ｂが夫々供給されるように、画像データＰ２（１、５）ｒ、Ｐ３（１、５）ｇ及びＰ４（１、５）ｂがメモリ２２から読み出される。
【００９８】
以下、座標（１、９）、座標（１、１０）、…、座標（１、８００）についても同様に読み出される。
【００９９】
このようにして先ず、画像表示領域Ｗにおける第１行目のパネル画素に含まれる赤色、緑色及び青色のサブ画素３３に供給すべき画像データが読み出される。
【０１００】
次に、画像表示領域Ｗにおける第２行目のパネル画素に含まれる赤色、緑色及び青色のサブ画素３３に供給すべき画像データが読み出される。
【０１０１】
即ち、先ず、画像表示領域Ｗにおける座標（２、１）のパネル画素に含まれる赤色、緑色及び青色のサブ画素３３に、画像データＰ４（２、１）ｒ、Ｐ１（２、１）ｇ及びＰ２（２、１）ｂが夫々供給されるように、画像データＰ４（２、１）ｒ、Ｐ１（２、１）ｇ及びＰ２（２、１）ｂがメモリ２２から読み出される。続いて、画像表示領域Ｗにおける座標（２、２）のパネル画素に含まれる赤色、緑色及び青色のサブ画素３３に、画像データＰ３（２、１）ｒ、Ｐ４（２、１）ｇ及びＰ１（２、１）ｂが夫々供給されるように、画像データＰ３（２、１）ｒ、Ｐ４（２、１）ｇ及びＰ１（２、１）ｂがメモリ２２から読み出される。続いて、画像表示領域Ｗにおける座標（２、３）のパネル画素に含まれる赤色、緑色及び青色のサブ画素３３に、画像データＰ２（２、１）ｒ、Ｐ３（２、１）ｇ及びＰ４（２、１）ｂが夫々供給されるように、画像データＰ２（２、１）ｒ、Ｐ３（２、１）ｇ及びＰ４（２、１）ｂがメモリ２２から読み出される。続いて、画像表示領域Ｗにおける座標（２、４）のパネル画素に含まれる赤色、緑色及び青色のサブ画素３３に、画像データＰ１（２、１）ｒ、Ｐ２（２、１）ｇ及びＰ３（２、１）ｂが夫々供給されるように、画像データＰ１（２、１）ｒ、Ｐ２（２、１）ｇ及びＰ３（２、１）ｂがメモリ２２から読み出される。
【０１０２】
続いて、画像表示領域Ｗにおける座標（２、５）のパネル画素に含まれる赤色、緑色及び青色のサブ画素３３に、画像データＰ４（２、５）ｒ、Ｐ１（２、５）ｇ及びＰ２（２、５）ｂが夫々供給されるように、画像データＰ４（２、５）ｒ、Ｐ１（２、５）ｇ及びＰ２（２、５）ｂがメモリ２２から読み出される。続いて、画像表示領域Ｗにおける座標（２、６）のパネル画素に含まれる赤色、緑色及び青色のサブ画素３３に、画像データＰ３（２、５）ｒ、Ｐ４（２、５）ｇ及びＰ１（２、５）ｂが夫々供給されるように、画像データＰ３（２、５）ｒ、Ｐ４（２、５）ｇ及びＰ１（２、５）ｂがメモリ２２から読み出される。続いて、画像表示領域Ｗにおける座標（２、７）のパネル画素に含まれる赤色、緑色及び青色のサブ画素３３に、画像データＰ２（２、５）ｒ、Ｐ３（２、５）ｇ及びＰ４（２、５）ｂが夫々供給されるように、画像データＰ２（２、５）ｒ、Ｐ３（２、５）ｇ及びＰ４（２、５）ｂがメモリ２２から読み出される。続いて、画像表示領域Ｗにおける座標（２、８）のパネル画素に含まれる赤色、緑色及び青色のサブ画素３３に、画像データＰ１（２、５）ｒ、Ｐ２（２、５）ｇ及びＰ３（２、５）ｂが夫々供給されるように、画像データＰ１（２、５）ｒ、Ｐ２（２、５）ｇ及びＰ３（２、５）ｂがメモリ２２から読み出される。
【０１０３】
以下、座標（２、９）、座標（２、１０）、…、座標（２、８００）についても同様に読み出される。
【０１０４】
このようにして、画像表示領域Ｗにおける第２行目のパネル画素に含まれる赤色、緑色及び青色のサブ画素３３に供給すべき画像データが読み出される。
【０１０５】
以下、同様にして、画像表示領域Ｗにおける第ｉ行目（ｉ＝３、…、４８０）のパネル画素に含まれる赤色、緑色及び青色のサブ画素３３に、第１視点用画像データＤＰ１における第ｉ行目の画像データＰ１（ｉ、ｋ）ｒ、Ｐ１（ｉ、ｋ）ｇ及びＰ１（ｉ、ｋ）ｂ（但し、ｋ＝１、５、…、７９３、７９７）と、第２視点用画像データＤＰ２における第ｉ行目の画像データＰ２（ｉ、ｋ）ｒ、Ｐ２（ｉ、ｋ）ｇ及びＰ２（ｉ、ｋ）ｂ（但し、ｋ＝１、５、…、７９３、７９７）と、第３視点用画像データＤＰ３における第ｉ行目の画像データＰ３（ｉ、ｋ）ｒ、Ｐ３（ｉ、ｋ）ｇ及びＰ３（ｉ、ｋ）ｂ（但し、ｋ＝１、５、…、７９３、７９７）と、第４視点用画像データＤＰ４における第ｉ行目の画像データＰ４（ｉ、ｋ）ｒ、Ｐ４（ｉ、ｋ）ｇ及びＰ４（ｉ、ｋ）ｂ（但し、ｋ＝１、５、…、７９３、７９７）とがサブ画素毎に交互に供給されるように読み出される。この際、画像表示領域Ｗにおける垂直方向に沿う列をなすサブ画素３３に、第１視点用画像データＤＰ１と第２視点用画像データＤＰ２と第３視点用画像データＤＰ３と第４視点用画像データＤＰ４とがサブ画素毎に交互に読み出される。これにより、第１視点用画像データＤＰ１、第２視点用画像データＤＰ２、第３視点用画像データＤＰ３及び第４視点用画像データＤＰ４の各々におけるパネル画素１列分の画像データは、画像表示領域Ｗにおいて互いに隣り合うパネル画素４列分の画像データとして合成される。この結果、第１視点用画像データＤＰ１、第２視点用画像データＤＰ２、第３視点用画像データＤＰ３及び第４視点用画像データＤＰ４が合成された合成画像データＤが生成される。
【０１０６】
表示パネル３は、画像処理回路２ｂから出力される合成画像データＤに基づいて、画像表示領域Ｗにおいて合成画像を表示する。
【０１０７】
次に、上述したような合成画像データＤに基づいて表示パネル３によって表示される合成画像を各視点Ｖ１、Ｖ２、Ｖ３及びＶ４からバリアＢ２を介して見た画像について、図１０、図１１及び図１４に加えて図１５を参照して説明する。ここに図１５は、第１視点から合成画像をバリアを介して見た画像を示す模式図である。
【０１０８】
図１５に示すように、第１視点Ｖ１からは、表示パネル３に表示された合成画像（即ち、合成画像データＤに基づく画像）のうち第１視点用画像Ｐ１（即ち、画像データＰ１（１、１）ｒ、Ｐ１（１、１）ｇ、Ｐ１（１、１）ｂ、Ｐ１（１、５）ｒ、Ｐ１（１、５）ｇ、Ｐ１（１、５）ｂ、…、Ｐ１（４８０、７９７）ｒ、Ｐ１（４８０、７９７）ｇ、Ｐ１（４８０、７９７）ｂ）が見えることになる。即ち、合成画像のうち第１視点用画像Ｐ１は、図１０及び図１１を参照して上述したバリアＢ２の開口部Ｂ２ａを介して第１視点Ｖ１に入射すると共に、合成画像のうち第２視点用画像Ｐ２、第３視点用画像Ｐ３及び第４視点用画像Ｐ４は、第１視点Ｖ１に入射しないようにバリアＢ２の遮光部Ｂ２ｂによって遮られる。
【０１０９】
一方、ここでは図示を省略するが、上述した第１視点Ｖ１についてと同様に、第２視点Ｖ２からは、表示パネル３に表示された合成画像のうち第２視点用画像Ｐ２が見えることになる。即ち、合成画像のうち第２視点用画像Ｐ２は、バリアＢ２の開口部Ｂ２ａを介して第２視点Ｖ２に入射すると共に、合成画像のうち第１視点用画像Ｐ１、第３視点用画像Ｐ３及び第４視点用画像Ｐ４は、第２視点Ｖ２に入射しないようにバリアＢ２の遮光部Ｂ２ｂによって遮られる。
【０１１０】
同様に、第３視点Ｖ３からは、表示パネル３に表示された合成画像のうち第３視点用画像Ｐ３を見えることになり、第４視点Ｖ４からは、表示パネル３に表示された合成画像のうち第４視点用画像Ｐ４を見えることになる。
【０１１１】
ここで、再び図１５において、第１視点Ｖ１から見える第１視点用画像Ｐ１は、画像表示領域Ｗにおいて３つのサブ画素分だけ間隔を空けて表示された画像であり、第１視点用画像データＤＰ１に対応する画像が水平方向に４倍に伸長された画像である。つまり、第１視点Ｖ１から見える第１視点用画像Ｐ１は、第１視点用画像データＤＰ１’に対応する画像と水平方向及び垂直方向の長さの比が同じ画像である。よって、第１視点Ｖ１から見える第１視点用画像Ｐ１は、水平方向及び垂直方向に歪まないものとなる。
【０１１２】
このことは、視点Ｖ２、Ｖ３及びＶ４から夫々見える第２視点用画像Ｐ２、第３視点用画像Ｐ３及び第４視点用画像Ｐ４についても同様である。即ち、第２視点用画像Ｐ２、第３視点用画像Ｐ３及び第４視点用画像Ｐ４の各々は、画像表示領域Ｗにおいて３つのサブ画素分だけ間隔を空けて表示された画像であり、第２視点用画像データＤＰ２、第３視点用画像データＤＰ３及び第４視点用画像データＤＰ４の各々に対応する画像が水平方向に４倍に伸長された画像である。つまり、視点Ｖ２、Ｖ３及びＶ４から夫々見える第２視点用画像Ｐ２、第３視点用画像Ｐ３及び第４視点用画像Ｐ４は、第２視点用画像データＤＰ２’、第３視点用画像データＤＰ３’及び第４視点用画像データＤＰ４’に対応する画像と水平方向及び垂直方向の長さの比が同じ画像である。よって、視点Ｖ２、Ｖ３及びＶ４が夫々見る第２視点用画像Ｐ２、第３視点用画像Ｐ３及び第４視点用画像Ｐ４は、水平方向及び垂直方向に歪まないものとなる。
【０１１３】
更に、本実施形態に係る表示装置によれば、視点Ｖ１、Ｖ２、Ｖ３及びＶ４から合成画像がバリアＢ２を介して見えるように構成されているので、観察者が第１視点用画像Ｐ１、第２視点用画像Ｐ２、第３視点用画像Ｐ３及び第４視点用画像Ｐ４に例えば垂直方向に沿った縦縞が存在するように感じてしまうことを殆ど或いは全く無くすことができる。従って、観察者が合成画像をバリアＢ２を介して見る際、観察者が画像に縦縞が存在するように感じてしまうことを防止できる。これにより、例えばパララックスバリア方式の表示装置と比較して、精細度或いは解像度の高い多視点表示を行うことが可能となる。
【０１１４】
以上説明したように、本実施形態に係る表示装置によれば、画像のデータ量を少なくすると共に高品位な多視点表示を行うことができる。
【０１１５】
尚、以上の実施形態では、表示パネル３として液晶表示パネルを例にとり説明したが、表示パネルとしては、液晶表示パネルの他、電気泳動パネル、エレクトロルミネッセンスパネル（ＥＬパネル）等を用いることも可能である。
【０１１６】
尚、本発明に係る表示装置は、当該表示装置の表示パネルにおける表示領域に対して互いに異なる方向に位置する２人の観察者（即ち、第１及び第２の観察者）に対して互いに異なる画像を表示することも可能である。例えば、第１実施形態において、右眼用画像Ｒ及び左眼用画像Ｌに代えて第１の観察者用の画像及び第２の観察者用の画像が画像表示領域Ｗに表示されるように構成すると共に、バリアＢ１を、その複数の開口部Ｂａ１によって、第１の観察者用の画像が第１の観察者の眼に入射すると共に第２の観察者の眼に入射しないように、且つ、第２の観察者用の画像が第２の観察者の眼に入射すると共に第１の観察者の眼に入射しないように構成することで、第１及び第２の観察者に対して互いに異なる画像を表示することも可能である。つまり、上述した表示装置によれば、例えば運転席に位置する観察者に対してはナビゲーション情報を表示すると共に助手席に位置する観察者に対してはテレビやＤＶＤ等の映像を表示するなど、当該表示装置に対して例えば左右方向など互いに異なる方向に位置する２人の観察者に対して互いに異なる画像を同時に表示することも可能である。
＜電子機器＞
次に、上述した表示装置を電子機器の一例である携帯電話に適用する場合について、図１６を参照して説明する。ここに図１６は、本発明の電子機器の一例たる携帯電話の構成を示す斜視図である。
【０１１７】
図１６において、携帯電話１３００は、複数の操作ボタン１３０２のほか、受話口１３０４、送話口１３０６とともに、上述した表示装置１を表示部１００５として備えるものである。よって、携帯電話１３００によれば、表示部１００５において高品位な立体表示を行うことができる。
【０１１８】
尚、図１６を参照して説明した電子機器の他にも、モバイル型のパーソナルコンピュータや、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１１９】
本発明は、上述した実施形態に限られるものではなく、特許請求の範囲及び明細書全体から読み取れる発明の要旨或いは思想に反しない範囲で適宜変更可能であり、そのような変更を伴う表示装置、画像処理方法及び該表示装置を備えてなる電子機器もまた本発明の技術的範囲に含まれるものである。
【図面の簡単な説明】
【０１２０】
【図１】第１実施形態に係る表示装置の全体構成を示す模式図である。
【図２】第１実施形態に係る表示装置のバリアの構成を示す平面図である。
【図３】第１実施形態に係る表示装置の表示パネルの構成を示すブロック図である。
【図４】第１実施形態に係る表示装置の画像処理回路による画像処理を説明するためのフローチャートである。
【図５】第１実施形態に係る表示装置の画像処理回路に入力される多重画像データの構成を概念的に示す概念図である。
【図６】第１実施形態に係る表示装置の画像処理回路のメモリに記憶される画像データの構成を概念的に示す概念図である。
【図７】第１実施形態に係る表示装置の画像処理回路から出力される合成画像データの構成を概念的に示す概念図である。
【図８】観察者の右眼が合成画像をバリアを介して見た画像を示す模式図である。
【図９】観察者の左眼が合成画像をバリアを介して見た画像を示す模式図である。
【図１０】第２実施形態に係る表示装置の全体構成を示す模式図である。
【図１１】第２実施形態に係る表示装置のバリアの構成を示す平面図である。
【図１２】第２実施形態に係る表示装置の画像処理回路に入力される多重画像データの構成を概念的に示す概念図である。
【図１３】第２実施形態に係る表示装置の画像処理回路のメモリに記憶される画像データの構成を概念的に示す概念図である。
【図１４】第２実施形態に係る表示装置の画像処理回路から出力される合成画像データの構成を概念的に示す概念図である。
【図１５】第１視点から合成画像をバリアを介して見た画像を示す模式図である。
【図１６】本発明の表示装置を適用した電子機器の一例たる携帯電話の構成を示す斜視図である。
【符号の説明】
【０１２１】
２…画像処理回路、３…表示パネル、８…タイミング制御回路、２０…Ｓ／Ｐ変換回路、２２…メモリ、２３…読出制御回路、３３…サブ画素、Ｂ１…バリア、Ｗ…画像表示領域
【図１】
2009103865.tif 000003
【図２】
2009103865.tif 000004
【図３】
2009103865.tif 000005
【図４】
2009103865.tif 000006
【図５】
2009103865.tif 000007
【図６】
2009103865.tif 000008
【図７】
2009103865.tif 000009
【図８】
2009103865.tif 000010
【図９】
2009103865.tif 000011
【図１０】
2009103865.tif 000012
【図１１】
2009103865.tif 000013
【図１２】
2009103865.tif 000014
【図１３】
2009103865.tif 000015
【図１４】
2009103865.tif 000016
【図１５】
2009103865.tif 000017
【図１６】
2009103865.tif 000018